Podtech/llm-jp-corpus-v4-ja_patent huggingface dataset:
(57)【要約】      （修正有）【課題】安全で首部の保温・保護をする機能を備えたマフラー機能付き帽子を提供する。【解決手段】帽子部１の開口部周縁２の一部に首覆い部３を一体的に取り付ける。【選択図】図１
0003101648.tif 000002
【実用新案登録請求の範囲】
【請求項１】
帽子部（１）と、帽子部（１）の開口部周縁（２）と略同一円周の輪状帯体である首覆い部（３）とからなり、首覆い部（３）を帽子部（１）の開口部周縁（２）の一部に一体的に取り付けたことを特徴とするマフラー機能付き帽子。
【請求項２】
帽子部（１）と、帽子部（１）の開口部周縁（２）と略同一円周の輪状帯体である首覆い部（３）とからなり、首覆い部（３）を帽子部（１）の開口部周縁（２）の一部に、ボタン又はホック又はスライドファスナー又は面ファスナーにより取り外し自在に取り付けたことを特徴とするマフラー機能付き帽子。
【考案の詳細な説明】
【技術分野】
【０００１】  本考案は、首部の保温・保護をする機能を備えた帽子に関するものである。
【背景技術】
【０００２】  従来より帽子とマフラーは別個のものである。帽子は風で飛ばされるときがあり、首部を保温・保護する機能はない。また、マフラーは長さによっては機械・車輪等に巻き込まれる危険があり、首元でほどけやすい。防寒具として、おしゃれアイテムとして帽子とマフラーを同時に着用することも多く、帽子とマフラーの機能を同時に実現するものとしては、例えば実開昭６３−１４００２６号公報には「帽子にマフラーを一体的に取り付けた防寒具」が提案されている。しかし、この防寒具は単に帽子にマフラーを一体的に取り付けたものに過ぎず、マフラーが機械・車輪等に巻き込まれる危険があり、首元でほどけやすいという問題は解消されていない。
【特許文献１】  実開昭６３−１４００２６号公報
【考案の開示】
【考案が解決しようとする課題】
【０００３】  本考案は上述の問題を解消するためになされたもので、安全で機能性・おしゃれ性に優れたマフラー機能付きの帽子を提供することを目的とする。
【課題を解決するための手段】
【０００４】  上記課題を解決するために、本考案の請求項１に記載のマフラー機能付き帽子は、帽子部１と、帽子部１の開口部周縁２と略同一円周の輪状帯体である首覆い部３とからなり、首覆い部３を帽子部１の開口部周縁２の一部に一体的に取り付けたものである。
また、請求項２に記載のマフラー機能付き帽子は、帽子部１と、帽子部１の開口部周縁２と略同一円周の輪状帯体である首覆い部３とからなり、首覆い部３を帽子部１の開口部周縁２の一部に、ボタン又はホック又はスライドファスナー又は面ファスナーにより取り外し自在に取り付けたものである。
【考案の効果】
【０００５】  本考案のマフラー機能付き帽子を用いることにより、頭と首を同時に、又は、その一方だけを任意に保温・保護することができる。また、従来のマフラーや帽子単体のものに較べて、機械・車輪等に巻き込まれたり、首元でほどけたり、風で飛ばされる心配が無い。
洋服や髪型などとコーディネイトして、マフラーと帽子両用として、また、帽子を外した状態でフード付きのマフラーとして、また、単独の帽子として、そのときの気分に応じておしゃれを楽しむことができる。
【考案を実施するための最良の形態】
【０００６】  本考案の実施の形態を、代表的な実施例に基づいて図を用いて説明する。
本考案のマフラー機能付き帽子は、図１に示すように、帽子部１の開口部周縁２の一部に首覆い部３を一体的に取り付けたものである。本考案のマフラー機能付き帽子は、このように構成したことにより、これを使用するときは、帽子部１と首覆い部２の取り付け部を後頭部側にして、首覆い部３に頭を通して首にかかるようにし、次に帽子部１を頭にかぶる。【０００７】  図２は、本考案のマフラー機能付き帽子を着用した状態を示す斜視図である。首覆い部３は、首の周辺を覆って首を保温・保護するだけでなく、輪状帯体であるので解けて首から外れることがない。
また、首覆い部３と帽子部１は連結されているので、帽子部１が強風などで頭から外れても、首に係止された状態を維持し、身体から外れることはない。【０００８】  図３は、本考案のマフラー機能付き帽子を単にマフラーとして使用する状態を示す斜視図である。
図３に示すように、マフラーとして使用する場合は、帽子部分１を頭から外し背中側に倒して使用する。この場合も、首覆い部３は首に係止されるので、帽子部１は身体から外れることはない。
また、頭部が寒くなったらいつでも帽子部１を頭に着用することができる。【０００９】  図４は、本考案のマフラー機能付き帽子を単に帽子として使用する状態を示す斜視図である。図４に示すように、帽子として使用する場合は、首覆い部３を帽子部１の上面に重ねるように開口部周縁２で折り返して着用する。【００１０】  図５は、首覆い部３を帽子部１の開口部周縁２に、ボタンにより取り付けた状態を示す斜視図である。帽子部１の開口部周縁２の適宜箇所にボタン５を取り付け、首覆い部３にボタン５に対応するボタン穴６を設けたことにより、首覆い部３を帽子部１の開口部周縁２に取り外し自在に取り付けることができる。【００１１】  本実施例では、帽子部１及び首覆い部３はそれぞれニット編物を用いたが、これに限定されるものではなく、毛編物又は布織物又はフリースでもよい。また、首覆い部３を帽子部１に取り付ける手段として、ボタンを使用した例を示したが、ホック又はスライドファスナー又は面ファスナーを用いてもよい。
また、首覆い部３の形態は輪状に限定されるものではなく、辺の形状を特定しない長方形状でもよい。
【図面の簡単な説明】
【００１２】
【図１】  本考案のマフラー機能付き帽子の構造を示す斜視図である。
【図２】  本考案のマフラー機能付き帽子を着用した状態を示す斜視図である。
【図３】  マフラーとして使用する状態を示す斜視図である。
【図４】  帽子として使用する状態を示す斜視図である。
【図５】  ボタンにより首覆い部を帽子部に取り付けた状態を示す斜視図である。
【符号の説明】
【００１３】  １・・帽子部
２・・帽子部の開口部周縁
３・・首覆い部
４・・取り付け部
５・・ボタン
６・・ボタン穴
【図１】
0003101648.tif 000003
【図２】
0003101648.tif 000004
【図３】
0003101648.tif 000005
【図４】
0003101648.tif 000006
【図５】
0003101648.tif 000007
(57)【要約】【課題】大判ハンカチやナプキンは主として食事時に用いるが止めるものがない為落下してしまう。その為ハンカチ及びナプキンにクリップを付けてそのクリップを衣服にはさむ事によって落下防止を解決するものである。【解決手段】本考案はハンカチ及びナプキンにクリップを付けそのクリップを衣服にはさむ事によって落下防止になるため、ハンカチ及び　ナプキンの落下を気にせず食事する事が出来る。【選択図】図１
0003096964.tif 000002
【実用新案登録請求の範囲】
【請求項１】
食事時などにひざ掛け及び胸あてハンカチ・ナプキンの落下防
止を防ぐクリップ付きハンカチ・ナプキン
【考案の詳細な説明】
【０００１】
【考案の属する技術分野】
本考案は落下防止用のクリップをハンカチ・ナプキンに付ける。
【０００２】
【従来の技術】
ハンカチ・ナプキンに落下防止クリップは付いてない為すぐ落下する。
【０００３】
【考案が解決しようとする課題】
大判ハンカチやナプキンは主として食事時に用いるが止めるものが無い為落下してしまう。その為ハンカチ・ナプキンにクリップを付けてそのクリップを衣服にはさみ落下防止を解決するものである。
【０００４】
【課題を解決するための手段】
本考案はハンカチ及びナプキンにクリップを付けそのクリップを衣服にはさむ事によって落下防止になるため、ハンカチ及びナプキンの落下を気にせず食事することが出来る。
【０００５】
【考案の実施の形態】
従来のハンカチに直径５ｍｍ〜のリングを、ナプキンには菊ハトメを開けその穴に取りはずし可能なクリップをつけてそのクリップを衣服につける。
【０００６】
【実施例】
以下添付図面に従って実施例を説明する。
（１）は金属素材などの適宜素材のクリップ　（１）が衣服の止め付け具となる。
（２）はハンカチ及びナプキンのリングに止めつけるリングである。
（３）はハンカチ及びナプキンに止め付けたリングである。
【０００７】
【考案の効果】
上述の様に本考案のすべり落ち防止ピンチ付ハンカチ及びナプキンはクリップを衣服にはさむ事で、ハンカチ及びナプキンが落ちることを気にせず安心して食事することができる。
【図面の簡単な説明】
【図１】本考案のすべり落ち防止ピンチ付きハンカチ及びナプキンの実施例の示す正面図である。
【図２】本考案の断面図である。
【符号の説明】
１　衣服に止めつけるクリップ
２　フックとクリップの連結リング
３　ハンカチ及びナプキンに止めつけるフック
４　ハンカチ及びナプキンに縫いつけるリング
【図１】
0003096964.tif 000003
【図２】
0003096964.tif 000004
(57)【要約】［課題］　ハンガーを襟から入れても衣類をいためることなく、簡単に作業を行うことができるようにする。［解決手段］ハンガー本体（１）にフック（２）を収納することによって、襟からハンガーを入れやすくした。【選択図】　図１
0003096968.tif 000002
【実用新案登録請求の範囲】
【請求項１】
ハンガーのフックを本体にしまうことにより、衣類を簡単ににかけることができるハンガー。
【考案の詳細な説明】
【０００１】
［考案の属する技術分野］
本考案は、本体にフックをしまうことにより、洗濯物を干す時、お店に飾る時など、衣類をいためず、簡単にハンガーにかけることができるものである。
必要に応じて、Ｓ、Ｍ、Ｌなど、肩幅のサイズを変えても使いやすい。
【０００２】
［従来の技術］
従来のハンガーは、本体よりフックが突き出ている。フックの方向は変えられても、フックを本体にしまうことのできるハンガーはなかった。
【０００３】
［考案が解決しようとする課題］
これは次のような欠点があった。
（イ）フックが突き出ているので、首元の狭い丸首のＴシャツやハイネックなど、襟を伸ばしてハンガーにかけるため、首が伸びてしまうなど、衣類をいためる原因になっていた。
（ロ）襟が伸びないように、裾からハンガーを入れてかけようとすると、手間がかかって非常に面倒である。
本考案はこれらの問題点を除くためになされたものである。
【０００４】
［課題を解決するための手段］
ハンガーを襟から入れてもフックがひっかかることのないよう、ハンガー本体にフックを下げて収納し、襟から服の中へ入れる。フックを再び襟から引き出せば、簡単にハンガーにかけることができる。
【０００５】
［考案の実施の形態］
以下、本考案の実施の形態について説明する。
（イ）ハンガー本体（１）にフック（２）を収納できる溝（３）を作り、溝の底にフック（２）が上下できるように穴（４）を開けておく。
（ロ）溝の穴（４）でフックが止まるように、フック下の先端に、フック止め（５）をつけておく。
【０００６】
［考案の効果］
襟からハンガーをいれることができるので、衣類をいためることがなく、裾から入れる手間もかからず、簡単に作業を行うことができる。
【図面の簡単な説明】
【図１】本考案の斜視図である。
【図２】フックを上げた状態の断面図である。
【符号の説明】
１　ハンガー本体
２　フック
３　溝
４　穴
５　フック止め
【図１】
0003096968.tif 000003
【図２】
0003096968.tif 000004
(57)【要約】　　　（修正有）【課題】部品充填作業の省力化、合理化を図る。【解決手段】筒状体の表面部分に少なくとも、一つの凹型のくぼみを施し、そのくぼみが、筒内に挿入し充填した部品が動かないように固定する機能を持った構造を合成樹脂製器に施す。【選択図】　　図１
0003096965.tif 000002
【実用新案登録請求の範囲】
【請求項１】
筒状体の表面部分に少なくとも、一つの凹型のくぼみを有し、そのくぼみが、筒内に挿入し充填した物が動かないように固定する機能を持つことを特徴とする合成樹脂製収納容器
【考案の詳細な説明】
【０００１】
【考案の属する技術分野】
本考案は、半導体デバイスやコンデンサーなどの電子・電気部品（以下、「部品」という）を収納し、輸送するための合成樹脂製筒状容器に関するもので、一般に、マガジンチューブやスリーブなどと呼ばれている。輸送中に、部品が筒内で動かないように固定するために、筒の両端に挿入される一対のゴム栓状ストッパーの少なくとも一方を省き、作業の省力化、合理化を図るための改善方法を提供するものである。
【０００２】
【従来の技術】
本考案は、マガジンチューブやスリーブなどと呼ばれている合成樹脂製筒状容器に関し、容器内に部品などを挿入し、充填して、その容器の両端に一対のゴム栓状ストッパーを挿入し、輸送中に部品が筒内で動かないように固定する。その他に、部品の輸送用容器としては、キャリアテープと呼ばれ、凹型に連続的に真空成型し、部品を凹部に充填後、トップフィルムをヒートシールして、連続的にロール状に巻いた包装容器もある。
【０００３】
【考案が解決しようとする課題】
電子・電気部品メーカーは、部品を輸送するために使用するマガジンチューブやスリーブなどの合成樹脂製筒状容器の片端内に手でゴムストッパーを挿入した後、自動充填機により部品を筒内に挿入し、充填し、最後に、もう一方の筒端内にゴムストッパーを手で挿入して、部品を筒内に固定する。従って、同メーカーは、部品を筒状容器内に収納するために、一対のゴムストッパーを合計、二度、筒状容器の両端に手作業で挿入する手間が必要となる。この手間を少しでも、削減することが課題である。
【０００４】
【課題を解決するための手段】
筒状体の表面部分に少なくとも、一つの凹型のくぼみを加工し、そのくぼみが、筒内に挿入し、充填した部品が動かないように固定する機能を持った構造を合成樹脂製筒状容器に施す。
【０００５】
【考案の実施の形態】
以下、半導体デバイス部品（以下、「部品」という）を例に取って、具体的に、図を参照しながら、本考案による部品のストッパー機能を有する凹型くぼみ付き合成樹脂製筒状容器について説明する。
従来、部品を収納し、輸送するための合成樹脂製筒状容器を
【図３】に示す。
【図３】において、ゴム弾性を有するエラストマーなどで作られた左端ゴムストッパー３は、筒状容器１の左端内に挿入され、一定数の部品５が筒内に自動充填された後、最後に、筒状容器の右端内に、右端ゴムストッパー４が挿入される。従って、この部品の容器内への充填・固定作業に対して、ゴムストッパーを二回、手詰めする必要があります。
【０００６】
これに対し、本考案による合成樹脂製筒状容器に関し、その筒状容器内に、部品を充填する状況を
【図１】・
【図２】・
【図３】に示す。
【図１】は、筒状容器１の片端部上面に、一つのＵ字型のくぼみ２を加工したものである。
【図２】は、くぼみの側面図である。この場合、合成樹脂とは、塩化ビニル樹脂、スチレン樹脂、ＡＢＳ樹脂、ポリカーボネート樹脂などの熱可塑性樹脂を示し、それらの筒状容器は、押出成型して作られる。筒状容器の片端に、例えば、Ｕ字型のくぼみを作る加工方法は、受台としてのＵ字型メス金型を軸として、その軸に筒状容器を挿入し、筒状容器上面の上方よりＵ字型のオス金型を数秒、押圧した後、上方に離し、筒状容器をメス金型受台より抜き取る。筒状容器をメス金型受台より抜き取る。樹脂の種類により、プレス加工部分の金型や筒状容器の表面を加温すると筒状容器上面にきれいなＵ字型のくぼみを設けることができる。この場合、くぼみにおける筒状容器端面とは反対側の側面は、くぼみの形状やプレス成型条件により、穴開き状態にしたり、穴のないＵ型くぼみにすることもできる。また、くぼみは、筒状容器の端部だけでなく、必要に応じて、中央部に設けることもできる。くぼみの形状も、
【図２】のようなものに限らず、オス・メス金型の形状により、円筒形や直方体形、半球形など各種の形が可能である。
【０００７】
【図４】において、
【図１】の筒状容器１の内側に部品５を一定数、自動充填し、最後に、筒状容器のくぼみと反対側端面の筒内にゴムストッパー３を挿入して部品を固定する。従って、本考案による
【図４】の実施は、従来の
【図３】に比較して、部品メーカーは、ゴムストッパー４を筒状容器内に手で挿入する手間が省ける。
【０００８】
【考案の効果】
これにより、本考案による
【図４】の実施は、従来の
【図３】に比較して、部品メーカーは、ゴムストッパー４を筒状体内に手で挿入する手間が省ける。その代わりに、筒状容器の製造業者は、くぼみを加工する手間が発生するが、本考案は、従来方法よりトータルコストでコストダウンできる。同時に、くぼみ加工自体の自動化もでき、押出加工より一貫したくぼみ加工の合理化もできる。さらに、筒状容器に充填する部品の数をを変更する場合、従来は、筒状容器の長さを変更してカットしていたが、本考案は、筒状容器の長さは共通に固定しておき、くぼみの位置のみを変えて加工することで、簡単に対応できるため、製造する筒状容器の共通化が図れる。また、従来の筒状容器とゴムストッパーは、異材質であるが、本考案は、くぼみが筒状容器と同材質のため、従来より、リサイクルし易い。
【図面の簡単な説明】
【図１】凹型くぼみ付き筒状容器の斜視図
【図２】凹型くぼみ付き筒状容器のくぼみ部側面図
【図３】従来の半導体デバイス充填済み筒状容器の縦断面図
【図４】本考案による半導体デバイス充填済み凹型くぼみ付き筒状容器の斜視図
【符号の説明】
１　　凹型くぼみ付き筒状容器
２　　筒状容器の凹型くぼみ部
３　　従来の筒状容器における半導体デバイス用左端ゴムストッパー
４　　従来の筒状容器における半導体デバイス用右端ゴムストッパー
５　　筒状容器に収納された半導体デバイス
【図１】
0003096965.tif 000003
【図２】
0003096965.tif 000004
【図３】
0003096965.tif 000005
【図４】
0003096965.tif 000006
(57)【要約】【課題】丸鋸を装填した電気マルノコで被切断板を切断する際、厚さの異なる被切断板が簡単な手段によって素早く綺麗に切断することができる。【解決手段】中心に軸装用孔を有し、この軸装用孔の周囲表面において、被切断板の厚さ寸法目盛線を付設した木材などを切断可能とする丸鋸を提供する。【選択図】　図１
0003096967.tif 000002
【実用新案登録請求の範囲】
【請求項１】
中心に軸装用孔を有し、この軸装用孔の周囲表面において、被切断板の厚さ寸法目盛線を、付設したことを特徴とする木材などを切断可能とする丸鋸。
【請求項２】
請求項１における木材などを切断可能とする丸鋸において、被切断板の厚さ寸法目盛線の近傍所定位置に、厚さ寸法目盛を表示する文字を付設したことを特徴とする木材などを切断可能とする丸鋸。
【考案の詳細な説明】
【０００１】
【考案の属する技術分野】
本考案は、被切断板の厚さ寸法目盛線を表面に付設した木材などを切断可能とする丸鋸に関するものである。
【０００２】
【従来の技術】
従来、木材などを切断するために、通常電気マルノコと称する電動木工切断機で、中心に軸装用孔を有する丸鋸が使用されていた。
【０００３】
【考案が解決しようとする課題】
従って、このような電動木工切断機では、特に床、壁、天井などの被切断板を切断する際、この被切断板の厚さ寸法がまちまちであるため、一定の丸鋸の突出量（切込量）では、熟練者であっても綺麗に際切リすることは大変難しいものであった。また、被切断板の厚さ寸法に応じて丸鋸の突出量（切込量）を調整するにしても勘と定規を当てて操作していた。
【０００４】
【課題を解決するための手段】
本考案の木材などを切断可能とする丸鋸は、前記課題を解決することを目的とし、中心に軸装用孔を有し、この軸装用孔の周囲表面において、被切断板の厚さ寸法目盛線を、付設したことを特徴とする。
【０００５】
また、本考案の木材などを切断可能とする丸鋸において、被切断板の厚さ寸法目盛線の近傍所定位置に、厚さ寸法目盛を表示する文字を付設したことを特徴とする。
【０００６】
【考案の実施の形態】
以下、本考案の木材などを切断可能とする丸鋸の一実施例を、図１乃至図２を参照して説明する。
【０００７】
図１は、本考案の木材などを切断可能とする丸鋸の平面図である。図２は、本考案の木材などを切断可能とする丸鋸を装填した通常電気マルノコと称する電動木工切断機の概略斜視図である。
【０００８】
図１乃至図２に示すように、１は、本考案の木材などを切断可能とする丸鋸であり、この丸鋸１の外周には、鋸刃１ａが形成され、中心には、後記通常電気マルノコと称する電動木工切断機に装填するための軸装用孔１ｂが設けられている。この軸装用孔１ｂの周囲表面には、複数の被切断板の厚さ寸法目盛線２が、中心に向かってそれぞれ対向し、かつ同心円上に部分的に所定の長さをもって円弧状に付設されている。
【０００９】
最外周近傍に設けた前記被切断板の厚さ寸法目盛線２には、丸鋸の回転方向を示す矢印２ａが付設されている。
【００１０】
また、前記各被切断板の厚さ寸法目盛線２の近傍所定位置（目盛線上部）には、厚さ寸法目盛を表示する文字（例えば１５ｍ／ｍ，３０ｍ／ｍ，４５ｍ／ｍ，６０ｍ／ｍ）３が付設されている。
【００１１】
なお、前記被切断板の厚さ寸法目盛線２、矢印２ａ、厚さ寸法目盛を表示する文字３などは、例えば焼付け印刷、シルクスクリーン印刷または刻設などの手段により適宜付設されている。
【００１２】
図２において、４は、本考案の木材などを切断可能とする丸鋸１を、厚さ寸法目盛線２を外側にして回転しうるよう軸着装填した通常電気マルノコと称する電動木工切断機（以下電気マルノコという）である。５は、平面コ字状の基板で、矩形状部５ａと棒状部５ｂとから形成されている。この棒状部５ｂは、丸鋸１の厚さ寸法目盛線２などが付設されている側に配置され、被切断板の切断時、厚さ寸法目盛線２に合わせるようにしている。この矩形状部５ａと棒状部５ｂとは、平行に構成されており、またこれらの間には空間部５ｃが構成されている。
【００１３】
前記基板５の矩形状部５ａ上には、モーターを収容するモーターハウジング６が取り付けられており、この矩形状部５ａの空間部５ｃ側に長手方向に形成した切欠き５ａａに沿って前記丸鋸１が基板５の下方に突出させて一定方向に回転可能に取り付けられている。
【００１４】
７は、丸鋸１の上方を覆うブレードケースであり、８は、モーターハウジング６側に設けた持ち運び用ハンドルであり、９は、同様モーターハウジング６側に設けた、特に切断時に使用するハンドルである。
１０は、安全カバーで、常態では図２に示すように丸鋸１の下方を覆うように回転付勢されて取り付けられており、被切断板の切断時には、前記基板５の矩形状部５ａに回動自在に支持されている回動軸１１によって下方に回動し外れるようになっている。
【００１５】
被切断板の切断時、前記棒状部５ｂを、この被切断板の厚さに応じて前記丸鋸１の厚さ寸法目盛線２に合わせると、この丸鋸１の基板５下方への突出量（切込量）は、被切断板の厚さに応じて設定されるので、丸鋸１の鋸刃１ａにより素早く綺麗に切断される。
【００１６】
すなわち、被切断板の厚さが薄い（実施例では例えば１５ｍ／ｍ）場合には、丸鋸１の突出量（切込量）は、浅くて良いが、被切断板の厚さが厚い（実施例では例えば６０ｍ／ｍ）場合には、丸鋸１の突出量（切込量）としては、浅いよりは深い方が切断効率がよく、本考案は、被切断板の厚さに応じて丸鋸１の突出量（切込量）を確実に設定することができ、切断効率を良好にすることができるようにしたものである。
【００１７】
【考案の効果】
以上説明したように、本考案の木材などを切断可能とする丸鋸によれば、中心に軸装用孔を有し、この軸装用孔の周囲表面において、被切断板の厚さ寸法目盛線を、付設したことを特徴とするものであるから、この丸鋸を装填した電気マルノコで被切断板を切断する際、被切断板の種々の厚さに応じた丸鋸の突出量（切込量）がその都度確実に設定されるため、厚さの異なる被切断板が簡単な手段によって素早く綺麗に切断することができるなどの効果があり、特に床、壁、天井などの被切断板を切断するための「際切マルノコ」のような電動木工切断機に適用すれば非常に便利となる効果がある。
【図面の簡単な説明】
【図１】本考案の木材などを切断可能とする丸鋸の一実施例を示す平面図である。
【図２】本考案の木材などを切断可能とする丸鋸を装填した通常電気マルノコと称する電動木工切断機の一例を示す概略斜視図である。
【符号の説明】
１　　本考案の木材などを切断可能とする丸鋸
１ａ　鋸刃
１ｂ　軸装用孔
２　　被切断板の厚さ寸法目盛線
２ａ　丸鋸の回転方向を示す矢印
３　　厚さ寸法目盛を表示する文字
４　　通常電気マルノコと称する電動木工切断機
５　　基板
５ａ　矩形状部
５ａａ切欠き
５ｂ　棒状部
５ｃ　空間部
６　　モーターハウジング
７　　ブレードケース
８　　持ち運び用ハンドル
９　　ハンドル
１０　安全カバー
１１　回動軸
【図１】
0003096967.tif 000003
【図２】
0003096967.tif 000004
(57)【要約】【課題】スリッパ底上面は、履いているうちに次第に汚れてきて傷みやすいので、簡単に取り替えができる中敷シートを装着して、スリッパ底上面がいつまでもきれいな状態を保てるようにする。【解決手段】スリッパ底上面１の前後部に面ファスナー２をそれぞれ設けて、スリッパ底上面１と同じような形状で、その前後部にそれぞれ面ファスナー２を設けた中敷シート３を装着する。【選択図】　図２
0003096986.tif 000002
【実用新案登録請求の範囲】
【請求項１】
スリッパ底上面１の前後部に面ファスナー２をそれぞれ設けて、中敷シート３を装着するようにした中敷シート装着式スリッパ。
【考案の詳細な説明】
【０００１】
【考案の属する技術分野】
本考案は、スリッパ底上面１に簡単に着脱できる中敷シート３を装着して、スリッパ底上面１の汚れを防ぐ方法に関するものである。
【０００２】
【従来の技術】
従来、スリッパ底上面に中敷シートなどを装着するスリッパはなかった。
【０００３】
【考案が解決しようとする課題】
スリッパ底上面は、履いているうちに次第に汚れて傷んでくるので、簡単に着脱できる中敷シートをスリッパ底上面に装着して、その欠点をなくそうとするものである。
【０００４】
【課題を解決するための手段】
スリッパ底上面１の前後部に面ファスナー２をそれぞれ設けて、スリッパ底上面１と同じような形状で、その前後部にそれぞれ面ファスナー２を設けた中敷シート３を装着する。
【０００５】
【考案の実施の形態】
本案は、以上のような構造であるから、履いているうちに中敷シートが汚れてきたら外して取り替えることができる。
【０００６】
【考案の効果】
したがって、スリッパ底上面１に中敷シート３を装着すれば、汚れて傷みやすいスリッパ底上面１はいつまでもきれいな状態を保つことができる。
【図面の簡単な説明】
【図１】本考案の正面図である。
【図２】本考案の使用状態を示す断面図である。
【符号の説明】
１　　スリッパ底上面
２　　面ファスナー
３　　中敷シート
【図１】
0003096986.tif 000003
【図２】
0003096986.tif 000004
(57)【要約】【課題】衣服から伸びる調節用の紐のループ部を、簡単に固定出来、移動時等に都市の街頭や娯楽施設の建造物や工作物に引っ掛かかり難くする、紐留めパーツを提供する事。【解決手段】素材として滑り止め効果や形状復元性に富んだシリコーンゴムを使用し、本体の切れ込みが入った円筒部に、調節用の紐のループ部を押し込むという簡単な作業で、調節用の紐のループ部を簡単に洋服の形に沿って固定、調節が出来るので、移動時等に都市の街頭や娯楽施設の建造物や工作物に引っ掛かり難くする事が出来る。【選択図】　　　　　図４
0003096985.tif 000002
【実用新案登録請求の範囲】
【請求項１】
シリコーンゴムによって作る衣服のウエスト部または、裾部から出る調節用の紐を固定するパーツであって、衣服のウエスト部または、裾部に縫い付け固定する事により、衣服のウエスト部または、裾部から出る調節用の紐のループ部を固定、調節する事が容易である事を特徴とするシリコーンゴム製紐留めパーツ。
【請求項２】
本体の２箇所に、紐を咥えるための切れ込み入りの円筒設計を施した、請求項１に記載のシリコーンゴム製紐留めパーツ。
【考案の詳細な説明】
【０００１】
【考案の属する技術分野】
本考案は、パンツまたはジャンパー等の衣服に使用する紐留めパーツに属する。
【０００２】
【従来の技術】
従来の考案や発明を見てみると、衣服のウエスト部または、裾部からは調節用の紐がループ状に伸びており、大半のものがそのまま放置されている。また一部のものは、ループ部にテープ等で動かないような処理をしていたり、ループ部自体を衣服の内側に持って来る等の処理はされているが、パーツとしてループ部を固定するものは見られない。
その調節用の紐のループ部が、歩行時、走行時、移動時等に、都市の街頭または、娯楽施設の建造物、工作物に引っ掛かり、引きずられたりする事故が報告されている。
【０００３】
【考案が解決しようとする課題】
そこで調節用の紐のループ部を洋服の形に沿って簡単に固定でき、ループ部を飛び出した形にならないようにする事により、都市の街頭または、娯楽施設の建造物、工作物に引っ掛かり、転倒したり、引きずられたりする事故が起き難くする紐留めパーツを考案しようと考えた。
【０００４】
【課題を解決するための手段】
本考案は以上の課題を解決するために、紐留めパーツの素材は滑り止め効果や形状復元性に富んだシリコーンゴムで作り、衣服のウエスト部または、裾部に縫い付けて固定し、調節用の紐のループ部を本体の２箇所に設けた切れ込み入りの円筒部に押し込む事により、しっかりと洋服の形に沿って固定する事ができ、歩行時、走行時、移動時に都市の街頭または、娯楽施設の建造物、工作物に引っ掛かり難くなった。
また本体の２箇所の円筒部に切れ込みを入れる事により、紐自体を調節する時にも、パーツから簡単に、紐を取り外す事が出来るので、調節作業が簡単に出来るようになった。
【０００５】
【考案実施の形態】
以下、本考案のシリコーンゴム製紐留めパーツの実施例を説明する。ただし、これはいうまでもなく単に説明用のもので考案思想の制限または限定を意味するものではない。なお、本考案のシリコーンゴム製紐留めパーツの素材としてはミラブル型シリコーンゴム単独でも良いし、ミラブル型シリコーンゴムとＲＴＶ型シリコーンゴムとの組み合わせも可能である。また、本考案では衣服での使用例を説明したが、この他にも調節用の紐がループ状になるカバンや靴等の衣服雑貨の各所で採用する事が出来る。
【０００６】
図１は本考案のシリコーンゴム製紐留めパーツの実施例を示す正面図。１はシリコーンゴム製紐留めパーツ、１ａは装飾部、１ｂは縫い付け部。
【０００７】
図２は図１をＩＩ−ＩＩ線で矢視したシリコーンゴム製紐留めパーツの断面図。１ｃは円筒部、１ｄは切れ込み。
【０００８】
図３は本考案のシリコーンゴム製紐留めパーツをハーフパンツに縫い付けた状態を示す斜視図。２は縫い付ける衣服の例としてのハーフパンツ。３は調節用の紐。
【０００９】
図４は調節用の紐のループ部が本考案のシリコーンゴム製紐留めパーツに固定されている状態を示す拡大斜視図。
【００１０】
【考案の効果】
本考案のシリコーンゴム製紐留めパーツにより、衣服から出る調節用の紐のループ部が、衣服の形に沿って簡単に、しっかりと固定でき、移動時、歩行時、走行時に、都市の街頭または、娯楽施設の建造物、工作物に引っ掛かり難くなる。
【図面の簡単な説明】
【図１】図１は本考案のシリコーンゴム製紐留めパーツの実施例を示す正面図。
【図２】図２は図１をＩＩ−ＩＩ線で矢視した断面図。
【図３】図３は本考案のシリコーンゴム製紐留めパーツを衣服に縫い付けた状態を示す斜視図。
【図４】図４は調節用の紐のループ部が本考案のシリコーンゴム製紐留めパーツに固定されている状態を示す拡大斜視図。
【符号の説明】
１　　　−シリコーンゴム製紐留めパーツ
１ａ　　−装飾部
１ｂ　　−縫い付け部
１ｃ　　−円筒部
１ｄ　　−切れ込み
２　　　−ハーフパンツ
３　　　−調節用の紐
【図１】
0003096985.tif 000003
【図２】
0003096985.tif 000004
【図３】
0003096985.tif 000005
【図４】
0003096985.tif 000006
(57)【要約】　　　（修正有）【課題】従来の緯二重サテンは５枚か７枚サテンとなっているので、表面の平滑が粗くなり美感を損なう。又、仕掛けが終了した時、経つなぎができないため、作業性や生産性が低下する。そうした問題を解決するカーテンを提供する。【解決手段】経糸に８枚の綜絖を用いて、緯二重サテン織物で製織したカーテン。【選択図】　図２
0003096984.tif 000002
【実用新案登録請求の範囲】
【請求項１】
経糸に８枚の綜絖を用いて、緯二重サテン組織で製織したカーテン。
【考案の詳細な説明】
【０００１】
本考案は、経糸に８枚の綜絖を用いて、緯二重サテンの組織を用いて製織したカーテン。
【０００２】
【従来の技術】従来の緯二重サテンの組織で製織されているカーテンは、経糸に５枚綜絖、又は７枚綜絖で製織されているため、表面の平滑性が粗くなる。
又、綾取りができないので継続作業ができない。
【０００３】
【本考案が解決しようとする課題】従来の緯二重サテンは５枚か７枚サテンとなっているので、表面の平滑が粗くなり美感を損なう。又、仕掛けが終了した時、経つなぎができないため、作業性や生産性が低下する。そうした問題を解決すべく考案した。
【０００４】
【課題を解決する為の手段】本考案者は、上記のような現状に鑑み鋭意研究した結果、８枚緯二重サテン組織を考案し、カーテンを製織した。実施例として、図１の組織図、図２の立体拡大図の一例と、もう一つの例として図３の組織図と図４の立体拡大図が示す２種類の組織で製織されたカーテン。
【０００５】
【本考案のカーテンの特徴】本考案で製織されたカーテンは、正則８枚サテンの特徴である表面が、非常に平滑で美しくなった。又、表織、裏織の共存織物の組織でも仕掛織の経糸が終了していても、継続作業の経つなぎは、綾取りが出来るので作業時間を短縮でき、本考案の目的を充分果たすことが出来た。
【図面の簡単な説明】
【図１】本考案実施例１の平面組織図
【図２】本考案実施例１の立体拡大図
【図３】本考案実施例２の平面組織図
【図４】本考案実施例２の立体拡大図
【符号の説明】
（１）（３）（５）（７）（９）（１１）（１３）（１５）本考案の実施例１の二重織物の内側の緯糸
（２）（４）（６）（８）（１０）（１２）（１４）（１６）本考案の実施例１の二重織物の外側の緯糸
（１７）（１８）（１９）（２０）（２１）（２２）（２３）（２４）本考案の実施例１の組織図１完全分の経糸
（２５）（２７）（２９）（３１）（３３）（３５）（３７）（３９）本考案の実施例２の二重織物の内側の緯糸
（２６）（２８）（３０）（３２）（３４）（３６）（３８）（４０）本考案の実施例２の二重織物の外側の緯糸
（４１）（４２）（４３）（４４）（４５）（４６）（４７）（４８）本考案の実施例の組織図１完全分の経糸
【図１】
0003096984.tif 000003
【図２】
0003096984.tif 000004
【図３】
0003096984.tif 000005
【図４】
0003096984.tif 000006
(57)【要約】　　　（修正有）【課題】従来は、会釈をしたり、手を上げたり、窓を開けて手を出したりして、お礼の意思表示をしていた。安全性を確保しながら、相手にお礼の意思表示をすることにある。本発明の目的は、安全性を確保しながら、相手にお礼の意思表示をする装置を取つけた車を提供することにある。【解決手段】割り込み音声、表示つき車は、音声発生装置、電光掲示装置を単独又は複合で構成することで音声で、有難う御座いました、表示で、お礼の気持ちを伝え、気持ち良い運転をする事により安全を確保に役立つ。【選択図】　　　　図１
0003096990.tif 000002
【実用新案登録請求の範囲】
【請求項１】
割り込みがほぼ完了した時点で、音声でお礼を伝える装置を装備した車。
【請求項２】
割り込みがほぼ完了した時点で、文字表示でお礼を表示する装置を装備した車。
【請求項３】
請求項１及び請求項２に記載の装備を併せ持った車。
【考案の詳細な説明】
【０００１】
【考案の属する技術分野】
本発明は、割り込みお礼に関するものである。
【０００２】
【従来の技術】
従来は、会釈をしたり、手を上げたり、窓を開けて手を出したりして、お礼の意思表示をしていた。
【０００３】
【考案が解決しようとする課題】
安全性を確保しながら、相手にお礼の意思表示をすることにある。
【０００４】
本発明の目的は、安全性を確保しながら、相手にお礼の意思表示をする装置を取つけた車を提供することにある。
【０００５】
【課題を解決するための手段】
本発明は前記目的を達成するため、音声発生装置、電光掲示装置を設置することを要旨としたものである。
【０００６】
割り込み音声、表示つき車は、音声発生装置、電光掲示装置を単独又は複合で構成し、任意の位置に取り付ける事を要旨としたものである。
【０００７】
請求項１、２、３記載の本発明によれば、音声で、有難う御座いました、表示で、お礼の気持ちを伝え、気持ち良い運転をする事により安全を確保に役立つ。
【０００８】
【考案の実施の形態】
以下、本発明の実施の形態を図面で詳細に説明する。図１は本発明の音声発生装置、電光掲示装置、を取つけた車の縦断側面である。
【０００９】
【考案の効果】
以上述べたように、お礼の気持ちを伝え、気持ち良い運転をする事により安全を確保に効果を発揮する。
【図面の簡単な説明】
【図１】本発明の実施形態を示す音声発生装置、電光掲示装置、を取つけた車の縦断側面図である。
【符号の説明】
１　車
２　音声発生装置
３　電光掲示装置
【図１】
0003096990.tif 000003
(57)【要約】　　　（修正有）【課題】ピッキングや合鍵等により解錠ができても、防止具のセットにより不法侵入者を内側から確実に防止できる。【解決手段】外開きドア７の内側ノブの小径に２枚の蒲鉾板状からなる防止具１ａ，１ｂをノブ４の小径を上下から挟むようにしてドアの桟とノブの間に装着し、この防止具の一方がドアフレーム５のドア受けの突起部分６に掛かるようにセットする。【選択図】　　　図２
0003096915.tif 000002
【実用新案登録請求の範囲】
【請求項１】
外開きドアの内側ノブの小径にセットする装置で、２枚の蒲鉾板状の板の一方をドアフレームのドア受け突起部分に合わせ、この状態で板がノブの小径に接する部分を小径の太さに応じて半円形にカットし、２枚の板の半円形のカット部分と、小径が契合するように小径を中にして、上下から挟み、ドアフレームとは反対側の２枚の板の小口を蝶番の代わりに弾性の強いステンレス鋼等で連結するとともに、上下からノブの小径を挟んだ２枚の板を１枚の板状に保ち、防止具としての機能を高めると同時に、セットの着脱を容易にするため、ドアフレーム寄りの位置に、金属プレート２枚を上下２枚の中の１枚の板に、他方の板を両側面から強く挟むように取り付け、ドアが強い震動を受けてもプレートとそれを挟んだ板が離脱しないように、プレートの内側とこのプレートが接する板の側面に浅い横溝状の滑り止めの刻みを入れ、さらに、この防止具をセットする際、上下２枚の板を合わせ易くするため、プレートの先端部分をそれぞれ外側開きにカーブをつけた不法侵入防止具。
【考案の詳細な説明】
【０００１】
【考案の属する技術分野】
本考案は、近年急増し社会問題にまでなっているピッキング等による不法侵入者を内側から防止することを目的に、勝手口や店舗等の外開きドアの内側ノブの小径にセットする不法侵入防止具である。
【０００２】
【従来の技術】
従来、不法侵入者を内側から防止する器具としてはドアノブに内蔵したものをはじめドアチエン、又はドアフレームの側面に閂部材を取り付けたものが一般的である。
【０００３】
【考案が解決しようとする課題】
ピッキングや合鍵等により解錠ができても、防止具のセットにより不法侵入者を内側から確実に防止できる器具を提供しようとするものである。
【０００４】
本考案による器具の主要部材は、アルミ、プラスチック、木材のいずれでもよく、安価で製作できることと、既存のドア等に一切工作の手を加えることなく、器具の取り付け、取り外しが極めて簡単にできることを特徴とする。
【０００５】
【課題を解決するための手段】
外開きドアの内側ノブの小径に２枚の蒲鉾板状の板をノブの小径を上下から挟むようにして装着し、この蒲鉾板状の板の一方がドアフレームのドア受けの突起部分に掛かるようにセットする。
【０００６】
２枚の板（防止具）はノブを中にして１枚の板状となり、セット後は宛も１枚の板からノブが突出した状態となって、ドア桟とノブとで防止具を固定しドアと一体となるため、その板の一端がドアフレームの突起部分に掛かることによって、目的が達成される。
【０００７】
【考案の実施の形態】
考案の実施の形態について図面を参照して説明する。
図１〜図２において、１ａ、１ｂの部材はアルミ、プラスチック、木材のいずれでもよいが、ドアの桟とドアノブの凹部分に密着を要するため、１４ｍｍ程度の厚味を必要とする。
【０００８】
１ａと１ｂを連結する２については弾性の強いステンレス鋼が望ましい。
【０００９】
１ａと１ｂを固定する３については板金加工により１ａに接する部分をやや狭小にし、内側には１ａの離脱防止のため浅い横溝の刻みを入れるとともに、装着を容易にするため先端部分を外側開に曲げる。
【００１０】
１ａの３と接する部分にも離脱防止の効果を高めるため浅い横溝の刻みを入れる。
【００１１】
【考案の効果】
本考案によれば外開き内側ノブに防止具をセットすることにより、その一端がドアフレームの突起部分に掛って固定されるため、ピッキングや合鍵をもってしてもドアは開かず不法侵入者を防止することができる。
【図面の簡単な説明】
【図１】本考案の不法侵入防止具の斜視図
【図２】図１に示す不法侵入防止具をドアにセットした時の斜視図である。
【符号の説明】
１ａ　蒲鉾板状の板
１ｂ　　　〃
２　　弾性の強いステンレス鋼等
３　　金属プレート
４　　ドアノブ
５　　ドアフレーム
６　　ドア受け突起部分
７　　ドア
【図１】
0003096915.tif 000003
【図２】
0003096915.tif 000004
(57)【要約】　　　（修正有）【課題】乾燥肌の人とか、歳とともに指先が乾燥して名刺、お札等が滑って取出し難くくなる。デスクを離れた場所での接客時、あるいは外出先ではスポンジ、指サック等を持っていくわけにもいかず、そのため人前で指を舐めて指先を濡らし、中の物を取出すので不衛生であり非常に不快感を与えてしまう。【解決手段】指先滑止め剤を装填したケース１を名刺入れ４等に取付け、その薬を指先に塗って滑り難くくし、名刺等を取出し易くしたもの。【選択図】　　　　　図５
0003096911.tif 000002
【実用新案登録請求の範囲】
【請求項１】
どこでも携帯できるよう指先滑止め剤を装填した小型ケース本体を名刺入れ等に取付け、また永年使えるよう指先滑止め剤だけを詰替え式にしたもの。
【考案の詳細な説明】
【０００１】
【考案が解決しようとする課題】
乾燥肌の人とか、歳とともに指先が乾燥して名刺、お札等が滑って取出し難くくなる。事務所内作業で、水に浸したスポンジ、指サック等を常備、常設する事で問題ないがデスクを離れた場所での接客時、あるいは外出先では、スポンジ、指サック等を持っていくわけにもいかず、そのため人前で指を舐めて指先を濡らし、中の物を取出すので不衛生であり非常に不快感を与えてしまう。
【０００２】
【課題を解決するための手段】
指先滑止め剤を装填したケースを名刺入れ等に取付け、その薬を指先に塗って滑り難くくし、名刺等を取出し易くしたもの。
【０００３】
【考案の効果】
いつでも、どこでも使用できるよう指先滑止め剤を名刺入れの等に取付けておけば、さりげなく指先に少し塗るだけで、中のものを簡単に取出せるので人に不快感を与えることがない。
【図面の簡単な説明】
【図　１】指先滑止め剤入本体ケースの平面図である。
【図　２】指先滑止め剤入本体ケースの蓋を開けた状態の平面図である。
【図　３】指先滑止め剤入本体ケースの蓋を開け詰替え用を装着する図である。
【図　４】使用時あるいは詰替時、指先滑止め剤入本体ケースの蓋を開けた図である。
【図　５】名刺入れ等に指先滑止め剤入本体を取付けた図である。
【符号の説明】
１、指先滑り止め剤入の本体ケース
２、指先滑り止め剤入の本体ケースの蓋
３、指先滑り止め剤詰替え用ケース
４、名刺入れ等を姿を示す。
【図１】
0003096911.tif 000003
【図２】
0003096911.tif 000004
【図３】
0003096911.tif 000005
【図４】
0003096911.tif 000006
【図５】
0003096911.tif 000007
(57)【要約】【課題】古着の西陣織の帯地を利用し、絢爛豪華な絵模様がリバーシブルに楽しむことのできる手提げ袋の提供。【解決手段】第１袋地と、第２袋地が重合し、且つ裏返しにて前記第１袋地、第２袋地のいずれもが表地側として使用できるバッグであって、前記第１袋地、第２袋地のいずれもが着物の帯地からなるリバーシブルを可能になした構成。このさい、西陣織の帯地を使用し、袋地の表地側に大きな柄模様が形成され、又反転した後地側にも大きな柄模様が形成される。【選択図】　　　図１
0003096908.tif 000002
【実用新案登録請求の範囲】
【請求項１】
第１袋地と、第２袋地が重合し、且つ裏返しにて前記第１袋地、第２袋地のいずれもが表地側として使用できるバッグであって、前記第１袋地、第２袋地のいずれもが着物の帯地からなるリバーシブルを可能になしたことを特徴とする帯地用手提げ袋。
【請求項２】
西陣織の帯地を使用し、袋地の表地側に大きな柄模様が形成され、又後地側にも大きな柄模様が形成されてリバーシブルな使用となしたことを特徴とする請求項１記載の帯地用手提げ袋。
【考案の詳細な説明】
【０００１】
【考案の属する技術分野】
本考案は、リバーシブルな使用を可能になした帯地用手提げ袋に関するものである。
【０００２】
【従来の技術】
従来より、種々のリバーシブルバッグが市販されており、一つのバッグから二つの異なるパターンのバッグを選択して使用することができるのである。
【０００３】
【考案が解決しようとする課題】
しかしながら、これらの異なるパターンであっても単調な模様であって興趣に乏しいものであるいう問題点があった。
そこで、本考案は、係る問題点を解決すべく、リバーシブルな使用を可能になした帯地用手提げ袋の提供をせんとするものである。
【０００４】
【課題を解決するための手段】
本考案に係るリバーシブルな帯地用手提げ袋は、第１袋地と、第２袋地が重合し、且つ裏返しにて前記第１袋地、第２袋地のいずれもが表地側として使用できるバッグであって、前記第１袋地、第２袋地のいずれもが着物の帯地からなることを特徴とする。このさい、西陣織の帯地を使用し、袋地の表地側に大きな柄模様が形成されるものとなすのである。
【０００５】
【考案の実施の形態】
以下、図面に示す実施の形態について説明する。
図１は本考案に係るリバーシブルな帯地用手提げ袋の斜視図であって、図２は図１のリバーシブルな帯地用手提げ袋を裏返した状態の斜視図である。
【０００６】
本考案に係るリバーシブルな帯地用手提げ袋１は、鞄本体２及び持ち手３とから構成され、さらに鞄本体２は、第１袋地４、第２袋地５とから構成される。
【０００７】
第１袋地４と第２袋地５とは、ほぼ同一形状且つ同一サイズである。この第１袋地４と第２袋地５とは、重合され、相互に縫合されている。この縫合箇所は、出し入れ口の開口周辺とすることが好適であるが、その他に第１袋地と第２袋地との底部同士を縫合することもある。このようにして鞄本体２は、第１袋地４と第２袋地５とから形成され、鞄本体２を適宜に裏返して使用することで、第１袋地４が表地となり第２袋地が裏地として使用されたり、或いは第２袋地５が表地となり第１袋地４が裏地として使用されるものである。
【０００８】
その第１袋地４及び第２袋地５の生地の素材は、専ら古着とされる西陣織の帯地を使用する。これは西陣織の帯地４にはおたいこ部分に絢爛豪華な柄模様ｍが大きく刺繍されるものとなっていることから大変見栄えの良いものとなるのである。ところで、本考案では反転しても別の雰囲気の絵柄ｎが表出されて異なった感じの手提げ袋となすことのできるものである。
【０００９】
本考案は古着素材の有効利用に優れており、安価に市販に供することができるものとなる。
【００１０】
【考案の効果】
本考案は以上の通り構成するものであって、第１袋地４及び第２袋地５の生地の素材に西陣織の帯地を使用することにより、興趣深い模様ｍ，ｎを持つリバーシブルバッグを提供できるものである。とりわけ、古着とした西陣織の帯地に施された豪華絢爛たる花鳥などの絵柄ｍ，ｎの有効利用を図って、和装衣裳に良くマッチした手提げ袋を安価に市販に供することのできるものとなる。
【図面の簡単な説明】
【図１】本考案に係るリバーシブル帯地用手提げ袋の斜視図である。
【図２】図１のリバーシブル帯地用手提げ袋を裏返した状態の斜視図である。
【符号の説明】
１　　　リバーシブル帯地用手提げ袋
２　　　鞄本体
３　　　持ち手
４　　　第１袋地
５　　　第２袋地
【図１】
0003096908.tif 000003
【図２】
0003096908.tif 000004